(57)【特許請求の範囲】
【請求項１】
映像／音声データを記録／再生可能な記録装置と、
回転する光ディスクに対して映像／音声データを記録／再生可能な光ディスク装置と、
磁気テープに対して録画処理、または再生処理を行う磁気テープ装置と、
前記光ディスクに記録された映像／音声データの前記記録装置へのコピー、および前記記録装置に格納された映像／音声データの光ディスク装置へのコピーの一方の処理と、前記磁気テープ装置による前記録画処理および前記再生処理の一方の処理とが同時に行われる場合に、前記光ディスクの回転速度を制限する手段とを具備することを特徴とする録画／再生装置。
【請求項２】
映像／音声データを記録／再生可能な記録装置と、
回転する光ディスクに記録された映像／音声データを再生可能、かつ前記光ディスクに映像／音声データを記録可能な光ディスク装置と、
磁気テープに対して録画処理、または再生処理を行う磁気テープ装置と、
前記光ディスクに記録された映像／音声データを前記記録装置にコピーする処理、および或いは前記記録装置に格納された映像／音声データを光ディスク装置にコピーする処理の一方のコピー処理を実行する場合に、前記磁気テープ装置が録画処理若しくは再生処理を行っているか否かを判別する手段と、
前記録画処理若しくは再生処理を行っていると判別した場合に、前記光ディスクの種類が特定の種類であるか否かを判別する手段と、
前記光ディスクの種類が特定な種類の場合、前記光ディスクの回転速度を制限する手段とを具備することを特徴とする録画／再生装置。
【請求項３】
前記光ディスクの種類とは、光ディスクの構造に応じたものであることを特徴とする請求項２記載の録画／再生装置。
【請求項４】
前記光ディスクの種類とは、対応する最大記録速度であることを特徴とする請求項２記載の録画／再生装置。
【請求項５】
映像／音声データを記録／再生可能な記録装置と、
回転する光ディスクに前記映像／音声データを複数の記録速度で記録可能な光ディスク装置と、
磁気テープの録画処理、再生処理を行う磁気テープ装置と、
前記磁気テープ装置が録画処理若しくは再生処理を行う場合に、前記光ディスクに記録された映像／音声データを前記記録装置にコピーする処理、および前記記録装置に格納された映像／音声データを光ディスク装置にコピーする処理の一方のコピー処理を実行しているか否かを判別する手段と、
前記コピー処理を行っていると判別した場合に、前記光ディスクの種類が特定の種類であるか否かを判別する手段と、
前記光ディスクの種類が特定の種類であると判別した場合に、前記光ディスクの回転速度を制限する手段とを具備することを特徴とする録画／再生装置。
【請求項６】
前記光ディスクの種類とは、光ディスクの構造に応じたものであることを特徴とする請求項５記載の録画／再生装置。
【請求項７】
前記光ディスクの種類とは、対応する最大記録速度であることを特徴とする請求項５記載の録画／再生装置。
【請求項８】
放送信号を受信し、受信した放送信号を復調して映像音声信号を出力するチューナ部と、
映像／音声データを記録／再生可能な記録装置と、
回転する光ディスクに前記映像／音声データを複数の記録速度で記録可能な光ディスク装置と、
前記チューナ部から出力された映像音声信号を録画可能な磁気テープ装置と、
所定の時刻に前記チューナ部から出力された映像音声信号を前記磁気テープに録画する予約録画処理を実行するための予約設定が格納可能な予約録画設定保存部と、
前記光ディスクに記録された映像／音声データを前記記録装置にコピーする処理、および前記記録装置に格納された映像／音声データを光ディスク装置にコピーする処理の一方のコピー処理を実行する場合に、前記磁気テープ装置が録画処理若しくは再生処理を行っているか否かを判別する手段と、
前記録画処理若しくは再生処理を行っていないと判別した場合に、前記予約録画設定保存部に予約設定が格納されているか否かを検出する手段と、
前記予約録画設定保存手段に予約設定が格納されていた場合に、前記コピー処理が終了する時刻を予測する予測手段と、
前記予約録画設定保存手段に格納されている予約設定の内容から前記予約録画処理の開始時刻を検出する開始時刻検出手段と、
前記予測手段が予測した終了時刻と前記開始時刻検出手段が検出した開始時刻とを比較して、前記コピー処理と前記予約録画処理とが同時に実行されるか否かを判定する手段と、
前記コピー処理と前記予約録画処理とが同時に実行されると判別した場合に、前記光ディスクの種類が特定の種類であるか否かを判別する手段と、
前記光ディスクの種類が特定の種類であると判別した場合に、前記光ディスクの回転速度を制限する手段とを具備することを特徴とする録画／再生装置。
【請求項９】
映像／音声データを記録／再生可能な記録装置と、回転する光ディスクに対して映像／音声データを記録／再生可能な光ディスク装置と、磁気テープに対して録画処理、または再生処理を行う磁気テープ装置とを具備する録画／再生装置の制御方法であって、
前記光ディスクに記録された映像／音声データを前記記録装置にコピーする処理、および前記記録装置に格納された映像／音声データを光ディスクにコピーする処理の一方のコピー処理と、前記磁気テープ装置が録画処理および再生処理の一方の処理とが同時に行われる場合に、前記光ディスクの回転速度を制限することを特徴とする録画／再生装置の制御方法。
【請求項１０】
映像／音声データを記録／再生可能な記録装置と、回転する光ディスクに記録された映像／音声データを再生可能、かつ前記光ディスクに映像／音声データを記録可能な光ディスク装置と、磁気テープに対して録画処理、または再生処理を行う磁気テープ装置とを具備する録画／再生装置の制御方法であって、
前記光ディスクに記録された映像／音声データを前記記録装置にコピーする処理、及び前記記録装置に格納された映像／音声データを光ディスク装置にコピーする処理の一方のコピー処理を実行する場合に、前記磁気テープ装置が録画処理若しくは再生処理を行っているか否かを判別するステップと、
録画処理若しくは再生処理を行っていると判別した場合に、前記光ディスクの種類を判別するステップと、
前記光ディスクが特定な種類であると判別した場合、前記光ディスクの回転速度を制限するステップとを具備することを特徴とする録画／再生装置の制御方法。
【請求項１１】
映像／音声データを記録／再生可能な記録装置と、回転する光ディスクに記録された映像／音声データを再生可能、かつ前記光ディスクに映像／音声データを記録可能な光ディスク装置と、磁気テープに対して録画処理、または再生処理を行う磁気テープ装置とを具備する録画／再生装置の制御方法であって、
前記録画処理若しくは再生処理を行う場合に、前記光ディスクに記録された映像／音声データを前記記録装置にコピーする処理、及び前記記録装置に格納された映像／音声データを光ディスク装置にコピーする処理の一方のコピー処理を実行しているか否かを判別するステップと、
前記コピー処理を行っていると判別した場合に、前記光ディスクの種類を判別するステップと、
前記光ディスクの種類が特定の種類であるか否かを判別するステップと、
前記光ディスクの種類が特定の種類であると判別した場合、前記光ディスクの回転速度を制限するステップとを具備することを特徴とする録画／再生装置の制御方法。
【請求項１２】
放送信号を受信し、受信した放送信号を復調して映像音声信号を出力するチューナ部と、映像／音声データを記録／再生可能な記録装置と、回転する光ディスクに前記映像／音声データを複数の記録速度で記録可能な光ディスク装置と、前記チューナ部から出力された映像音声信号を録画可能な磁気テープ装置と、所定の時刻に前記チューナ部から出力された映像音声信号を前記磁気テープに録画する予約録画処理を実行するための予約設定が格納可能な予約録画設定保存部とを具備する録画／再生装置の制御方法であって、
前記光ディスクに記録された映像／音声データを前記記録装置にコピーする処理、及び前記記録装置に格納された映像／音声データを光ディスク装置にコピーする処理の一方のコピー処理を実行する場合に、前記磁気テープ装置が録画処理若しくは再生処理を行っているか否かを判別するステップと、
前記録画処理若しくは再生処理を行っていないと判別した場合に、前記予約録画設定保存部に予約設定が格納されているか否かを検出するステップと、
前記予約録画設定保存手段に予約設定が格納されていた場合に、前記保存処理が終了する時刻を予測するステップと、
前記予約録画設定保存手段に格納されている予約設定の内容から前記予約録画処理の開始時刻を検出するステップと、
前記予測された終了時刻と前記検出された開始時刻とを比較して、前記保存処理と前記予約録画処理とが同時に実行されるか否かを判定するステップと、
前記保存処理と前記予約録画処理とが同時に実行されると判定した場合に、前記光ディスクの種類を判別するステップと、
前記判別した光ディスクの種類が特定の種類であるか否かを判別するステップと、
前記光ディスクの種類が特定の種類であると判別した場合に、前記光ディスクの回転速度を制限するステップとを具備することを特徴とする録画／再生装置の制御方法。
【発明の詳細な説明】
【技術分野】
【０００１】
本発明は、映像／音声データの記録／再生を行う記録装置、光ディスクに対して映像／音声データの記録／再生を行う光ディスク装置、および磁気テープに対して録画／再生処理を行う磁気テープ装置を具備する録画／再生装置、および録画／再生装置の制御方法に関する。
【背景技術】
【０００２】
最近、デジタル機器の普及と共にハードディスク（ＨＤＤ）／ＤＶＤ(Digital Versatile Disc)レコーダ等の放送受信装置が一般化しつつある。しかし、ＶＴＲ（Video Tape Recorder）を使用していたユーザのために、ＨＤＤ／ＤＶＤレコーダとＶＴＲとを組み合わせた録画／再生装置が発売されている。
【０００３】
ところで、ＨＤＤとＤＶＤとの間で映像／音声データをコピーする時に、映像／音声データに対して再エンコード処理が不要な場合には、映像／音声データをそのままコピーするだけでよい。この場合、ＤＶＤの記録／再生速度を最大（ＤＶＤメディアの回転数を最大）にすることができる。しかし、ＤＶＤの記録／再生速度を最大にすると、振動が発生する。
【０００４】
ＶＴＲにおいて録画処理または再生処理を行う場合に、ＶＴＲが振動していると記録／再生する信号が劣化することが知られている。上述したＨＤＤ／ＤＶＤ／ＶＴＲ複合装置では、ＤＶＤの振動が大きいと振動がＶＴＲに伝わって記録／再生する信号が劣化し、ＶＴＲの記録／再生性能が悪くなることがある。
【０００５】
特許文献１には、ディスクメディアへの記録処理を開始する際に、そのときの撮影状態がＯＮかＯＦＦかを判別し、撮影中は記録再生部が発生する騒音や振動が少ない記録モードを設定する技術が記載されている。
【特許文献１】特開２００４−１５８１４９号公報
【発明の開示】
【発明が解決しようとする課題】
【０００６】
上述したように、ＨＤＤ／ＤＶＤ（光ディスク装置）／ＶＴＲ（磁気テープ装置）複合装置では、ＤＶＤの振動が大きいと振動がＶＴＲに伝わって記録／再生する信号が劣化し、ＶＴＲの記録／再生性能が悪くなることがある。
【０００７】
本発明の目的は、光ディスク装置と磁気テープ装置が同時に動作する場合に、磁気テープ装置の記録／再生性能が悪くなることを抑制することが可能な録画／再生装置、および録画／再生装置の制御方法を提供することにある。
【課題を解決するための手段】
【０００８】
本発明の一例に係わる録画／再生装置は、映像／音声データを記録／再生可能な記録装置と、回転する光ディスクに対して映像／音声データを記録／再生可能な光ディスク装置と、磁気テープに対して録画処理、または再生処理を行う磁気テープ装置と、前記光ディスクに記録された映像／音声データの前記記録装置へのコピー、および前記記録装置に格納された映像／音声データの光ディスク装置へのコピーの一方の処理と、前記磁気テープ装置による前記録画処理および前記再生処理の一方の処理とが同時に行われる場合に、前記光ディスクの回転速度を制限する手段とを具備することを特徴とする。
【発明の効果】
【０００９】
光ディスク装置と磁気テープ装置が同時に動作している場合に、磁気テープ装置の記録／再生性能が悪くなることを抑制することが可能になる。
【発明を実施するための最良の形態】
【００１０】
本発明の実施の形態を以下に図面を参照して説明する。
【００１１】
以下、図面を参照してこの発明の一実施形態を説明する。
【００１２】
図１は、本発明の一実施形態に係るＨＤＤ／ＤＶＤ／ＶＴＲ一体型録画再生システムの概略構成を示すブロック図である。
【００１３】
図１に示すように、本実施形態のＨＤＤ／ＤＶＤ／ＶＴＲ一体型録画再生システム１００は、磁気テープ(磁気テープ)Ｔに記録された映像／音声データの再生および映像／音声入力データを記録するテープドライブ部（磁気テープ装置）１１と、映像／音声入力データを圧縮符号化してＤＶＤ−ＲＡＭなどの記録メディアＤまたはＨＤＤに記録するデジタル録画／再生部２０と、ＶＴＲ部１０とデジタル録画／再生部２０とをシステム制御する制御部１０１と、ユーザインタフェース部１０２と、チューナ１１０とを備えている。
【００１４】
チューナは、放送信号を受信し、受信した放送信号を復調して得られた映像／音声信号をＶＴＲ部１０およびデジタル録画/再生部２０に出力する。
【００１５】
ＶＴＲ部１０は、ＶＴＲ制御部１２およびテープドライブ部１１を有する。ＶＴＲ部１０では、テープドライブ部がチューナ１１０から供給された映像／音声信号を磁気テープＴに録画する、また録画された信号を再生し映像／音声データを生成する。又、ＶＴＲ制御部１２が、システム制御部１０１とデジタル録画／再生部２０の制御部２７と制御信号線を介して制御信号を授受しながらＶＴＲ部１０全体を制御する。ＶＴＲ制御部１２には、ユーザが登録した予約録画設定を格納する予約録画設定記憶部１２ｂ、および予約録画設定記憶部１２ｂに格納された設定を検索するＶＴＲ予約録画時間検索部１２ａを有する。
【００１６】
デジタル録画／再生部２０は、チューナ１１０から供給されたアナログの映像／音声データをデジタル信号に変換するＡ／Ｄ変換部２１、デジタル処理部２２、ＨＤＤドライブ部(記録装置)２３、ディスクドライブ部（光ディスク装置）２４、Ｄ／Ａ変換部２５、セレクタ２６、およびＨＤＤ／ＤＶＤ制御部２７を有している。
【００１７】
デジタル録画／再生部２０では、ＨＤＤ／ＤＶＤ制御部２７が、システム制御部１０１とＶＴＲ制御部１２と制御信号線を介して制御信号を授受しながらデジタル録画／再生部２０全体を制御する。又、ＨＤＤ／ＤＶＤ制御部２７は、ディスクドライブ部２４内のＤＶＤメディアＤの種類（ＤＶＤ−ＲＡＭ、ＤＶＤ−ＲＷ、ＤＶＤ−Ｒ、ＤＶＤ＋Ｒなど）を判別するディスク種類判別部２７ａ、ＤＶＤメディアＤ対応する記録速度（再生速度）を判別する最大対応倍速判別部２７ｂ、ＨＤＤドライブ部２３からディスクドライブ部２４へのダビング処理またはディスクドライブ部２４からＨＤＤドライブ部２３へのダビング処理の際にダビングが終了する時刻を予測するダビング終了時刻予測部２７ｃを有する。
【００１８】
Ａ／Ｄ変換部２１が、チューナ１１０から出力されたアナログの映像／音声信号を受け取ってデジタル変換する。デジタル処理部２２のエンコーダ部２２ｂが、Ａ／Ｄ変換部２１で変換された映像／音声データを圧縮符号化する。圧縮符号化された映像／音声データが、データ処理部２２ａを経てＨＤＤドライブ部２３またはディスクドライブ部２４に供給される。
【００１９】
そして、ＨＤＤドライブ部２３またはディスクドライブ部２４から受け取った圧縮符号化後の映像／音声データをＤＶＤ−ＲＡＭなどの記録メディアＤに記録する。記録メディアＤに記録された映像／音声データは、デジタル処理部２２のデータ処理部２２ａを経てデコーダ部２２ｃが圧縮復号化してＤ／Ａ変換部２５からセレクタ２６へ渡す。セレクタ２６は、テープドライブ部１１からの映像／音声データおよびデコーダ部２２ｃで圧縮復号化した映像／音声データのいずれか一方を選択し、ＡＶテレビなどに向けて外部出力する。
【００２０】
録画再生システム１００を操作して、初期設定を設定するための初期設定モードに移行すると、制御部は図２に示す設定画面を出力する。
【００２１】
図２に示す設定画面において、“ＤＶＤダビング速度”を選択すると、“高速”と“低速（静音）”のいずれかを選択することができる。
【００２２】
“高速”を選択した場合、低速（静音）モードＯＮ／ＯＦＦ設定がＯＦＦに設定され、ＨＤＤ／ＤＶＤ間のダビング時に、ＤＶＤメディアおよびＨＤＤドライブ部２３が対応する最大記録速度（最大再生速度）でダビング処理を行う。“低速（静音）”を選択した場合、低速（静音）モードＯＮ／ＯＦＦ設定がＯＮに設定され、ＨＤＤ／ＤＶＤ間のダビング時の倍速スピードを下げてダビングする状態となる。低速（静音）モードＯＮ／ＯＦＦ設定がＯＮの場合、ＤＶＤメディアおよびＨＤＤドライブ部２３が対応する最大記録速度（最大再生速度）によらず、ＤＶＤメディアの回転速度を制限してダビングを行う。
【００２３】
ＶＴＲ記録／再生とＨＤＤ／ＤＶＤ高速ダビングを同時に行う場合は、低速（静音）モードＯＮ／ＯＦＦ設定をオフにしていても、ある条件を満たす場合に自動的に低速（静音）モードＯＮ／ＯＦＦ設定をＯＮしてＨＤＤとＤＶＤの倍速スピードを下げて、ＨＤＤとＤＶＤのダビングを行う。
【００２４】
（ＨＤＤ／ＤＶＤ間のダビング処理）
次に、ＶＴＲの記録または再生中にＨＤＤとＤＶＤの高速ダビングを同時に行う場合は、ＤＶＤ記録媒体の種類（ＤＶＤ−ＲＡＭ、ＤＶＤ−ＲＷ、ＤＶＤ−Ｒ、ＤＶＤ＋Ｒなど）を判別して、限定したＤＶＤメディア（ＤＶＤ−Ｒ）を使用する場合は、ＨＤＤとＤＶＤの倍速スピードを下げてダビングを行う例に動作を図３フローチャートに示す。
【００２５】
なお、以下ではＨＤＤ／ＤＶＤ間のダビング処理という語句を用いるが、ＨＤＤドライブ部２３に格納された映像／音声データをディスクドライブ部２４内のＤＶＤメディアＤにコピーする処理、およびディスクドライブ部２４内のＤＶＤメディアＤに格納された映像／音声データをＨＤＤドライブ部２３にコピーする処理を表している。
【００２６】
ＶＴＲの記録または再生中にユーザがリモコン等を用いてＨＤＤとＤＶＤとの間の高速ダビング処理を指示すると、ユーザインタフェース部１０２が高速ダビング処理指令を受け付ける。ユーザインタフェース部１０２は、ダビング処理指令があった旨をシステム制御部に通知する。
【００２７】
システム制御部１０１は、ＨＤＤ／ＤＶＤ制御部２７にダビング処理を行うことを指令する。ＨＤＤ／ＤＶＤ制御部２７は、低速（静音）モードＯＮ／ＯＦＦ設定がＯＮであるか否かを判別する(ステップＳ１１)。低速(静音)モードＯＮ／ＯＦＦ設定がオンの場合（ステップＳ１１のＮｏ）、ＨＤＤ／ＤＶＤ制御部２７は、テープドライブ部１１が録画処理若しくは再生処理をおこなっているか否かを判別する（ステップＳ１２）。
【００２８】
テープドライブ部１１において録画処理、若しくは再生処理が行われていないと判別した場合（ステップＳ１２のＮｏ）、ＨＤＤ／ＤＶＤ制御部２７は、ＶＴＲ制御部１２に予約録画番組が有るか問い合わせる。ＶＴＲ予約録画時間検索部１２ａは、ＨＤＤ／ＤＶＤ制御部２７からの問い合わせに対し、予約録画設定記憶部１２ｂに保存されている内容を検索し、予約録画番組の有無をＨＤＤ／ＤＶＤ制御部２７に回答する。ＨＤＤ／ＤＶＤ制御部２７は、予約録画設定記憶部１２ｂからの回答結果に応じて予約録画番組があるか否かを判定する（ステップＳ１７）。
【００２９】
予約録画番組があると判定した場合（ステップＳ１７のＹｅｓ）、ＨＤＤ／ＤＶＤ制御部２７は、ＶＴＲ制御部１２に直近の予約録画番組の録画開始時刻を問い合わせる。ＶＴＲ予約録画時間検索部１２ａが、ＨＤＤ／ＤＶＤ制御部２７からの問い合わせに対し、直近の予約録画番組の録画開始時刻を検出し、ＨＤＤ／ＤＶＤ制御部２７に回答する（ステップＳ１８）。ダビング終了時刻予測部２７ｃは、映像／音声データのデータ量と転送レートからダビングが終了する時間を予測する（ステップＳ１９）。
【００３０】
ＨＤＤ／ＤＶＤ制御部２７は、ステップＳ１９の処理によって検出された録画開始時間とステップＳ１９の処理によって予測されたダビング終了時間とを比較し、予約録画とダビングとが同時動作するか否かを判定する（ステップＳ２０）。
【００３１】
ステップＳ１２の処理によってテープドライブ部が録画処理、若しくは再生処理を行っていると判別した場合（ステップＳ１２のＹｅｓ）、或いはステップＳ２０の処理において予約録画とダビングとが同時動作すると判定した場合（ステップＳ２０のＹｅｓ）、ディスク種類判別部がディスクドライブに挿入されているＤＶＤメディアＤの種類を判別する（ステップＳ１３）。ここで判別するＤＶＤメディアの種類とは、光ディスクの構造に応じた種類であって、所謂ＤＶＤ−ＲＡＭ、ＤＶＤ−ＲＷ、ＤＶＤ−Ｒ、ＤＶＤ＋Ｒ等の種類ことである。
【００３２】
ＨＤＤ／ＤＶＤ制御部２７は、ディスク種類判別部２７ａが判別した種類がＤＶＤ−Ｒであるか否かを判定する（ステップＳ１４）。
【００３３】
ステップＳ１４の処理においてＤＶＤ−Ｒでは無いと判定された場合（ステップＳ１４のＮｏ）、ステップＳ１７の処理において予約録画番組がないと判定した場合（ステップＳ１７のＮｏ）、或いはステップＳ２０の処理において予約録画とダビングとが同時動作しないと判定した場合(ステップＳ２０のＮｏ）、ＨＤＤ／ＤＶＤ制御部２７は、“高速モード動作”を画面上に表示させると共に（ステップＳ１５）、ＨＤＤ／ＤＶＤ高速ダビング処理を開始する（ステップＳ１６）。
【００３４】
ステップＳ１１の処理において低速(静音)モードＯＮ／ＯＦＦ設定がＯＮではないと判定した場合（ステップＳ１１のＮｏ）、ステップＳ１４の処理においてＤＶＤ−Ｒであると判定した場合（ステップＳ１４のＹｅｓ）、或いはＨＤＤ／ＤＶＤ制御部２７は、低速（静音）モードＯＮ／ＯＦＦ設定に係わらず、低速（静音）モードに設定する（ステップＳ２１）。ＨＤＤ／ＤＶＤ制御部２７は、“低速モード動作”を画面上に表示させると共に（ステップＳ２２）、ＨＤＤ／ＤＶＤ低速ダビング処理を開始する（ステップＳ２３）。
【００３５】
以上の処理によって、ＨＤＤ／ＤＶＤ間のダビングを行う際に、ダビングとテープドライブ部１１による録画処理または再生処理とが同時に行われることがある場合に、ＤＶＤメディアの種類を判別し、判別した種類がＤＶＤ−Ｒの場合に、低速（静音）モードＯＮ／ＯＦＦ設定に係わらず、低速（静音）モードに設定することで、ＤＶＤメディアＤの回転速度を制限し、ディスクドライブ部２４の振動がテープドライブ部１１に伝わることを抑制することができる。その結果、テープドライブ部１１が記録／再生する信号が劣化し、ＶＴＲの記録／再生性能が悪くなることがない。
【００３６】
ディスクドライブ部の振動がテープドライブ部に伝わるのは、ＤＶＤメディアＤが高倍速に対応している場合であるが、高倍速対応メディアとして一般に使用されているのはＤＶＤ−Ｒである。従って、ディスクドライブ部２４に内蔵されているＤＶＤメディアＤがＤＶＤ−Ｒ以外の場合には、振動がテープドライブ部１１に伝わらないので、ＤＶＤ−Ｒの場合に低速（静音）モードに設定してダビングを行えばよい。
【００３７】
なお、高倍速に対応したＤＶＤメディアが登場し、ディスクドライブ部２４が登場したＤＶＤメディアに対応していれば、登場したＤＶＤメディアの種類を低速（静音）モードＯＮ／ＯＦＦ設定に係わらず低速（静音）モードに設定するようにしても良い。
【００３８】
（磁気テープの録画処理／再生処理）
次ぎに、ユーザが磁気テープＴの録画処理（再生処理）を指示した場合の処理の手順を図４を参照して説明する。
【００３９】
ユーザがリモコン等を用いてＶＴＲの録画または再生処理を指示すると、ユーザインタフェース部１０２が再生指令（若しくは録画指令）を受け付ける。ユーザインタフェース部１０２は、再生指令（若しくは録画指令）があった旨をシステム制御部１０１に通知する。
【００４０】
システム制御部１０１は、ＶＴＲ制御部１２およびＨＤＤ／ＤＶＤ制御部２７に再生指令（若しくは録画指令）があったことを通知する。ＨＤＤ／ＤＶＤ制御部２７は、デジタル録画／再生部２０においてＨＤＤ／ＤＶＤダビング処理をおこなっているか否かを判定する（ステップＳ３１）。
【００４１】
ダビング処理を行っている場合、ＨＤＤ／ＤＶＤ制御部２７は低速（静音）モードＯＮ／ＯＦＦ設定がＯＦＦになっているか否かを判定する（ステップＳ３２）。
【００４２】
低速（静音）モードＯＮ／ＯＦＦ設定がＯＦＦになっている場合(ステップＳ３２のＮｏ）、ＨＤＤ／ＤＶＤ制御部２７は、ディスクドライブ部２４に挿入されているＤＶＤメディアＤの種類を判別する（ステップＳ３３）。ＨＤＤ／ＤＶＤ制御部２７は、判別したＤＶＤメディアＤの種類がＤＶＤ−Ｒであるか否かを判別する（ステップＳ３４）。
【００４３】
判別したＤＶＤディスクＤの種類がＤＶＤ−Ｒの場合（ステップＳ３４のＹｅｓ）、ＨＤＤ／ＤＶＤ制御部２７は、ダビング処理を低速（静音）モードに切り替えると共に（ステップＳ３５）、画面に“低速モード動作”をＯＳＤ（Over Screen Display）表示する（ステップＳ３６）。
【００４４】
ステップＳ３１の処理においてＨＤＤ／ＤＶＤダビング処理中ではないと判定した場合、ステップＳ３２の処理において低速（静音）モードでダビング中であると判定した場合（ステップＳ３２のＹｅｓ）、ステップＳ３４の処理において光ディスクの種類がＤＶＤ−Ｒではないと判定した場合（ステップＳ３４のＮｏ）、あるはステップＳ３６の処理を行った後、ＨＤＤ／ＤＶＤ制御部２７はテープドライブ部動作許可信号をイネーブルにし、テープドライブ部１１の動作を許可する（ステップＳ３７）。ＶＴＲ制御部１２は許可信号がイネーブルになると、テープドライブ部１１を駆動し磁気テープＴの再生処理（或いは録画処理）を行う。
【００４５】
以上の処理によって、ユーザのテープドライブ部１１による録画処理または再生処理の指示した際に、ＨＤＤ／ＤＶＤ間のダビングと録画処理（再生処理）とが同時に行われることがある場合に、ＤＶＤメディアの種類を判別し、判別した種類がＤＶＤ−Ｒの場合に、低速（静音）モードＯＮ／ＯＦＦ設定に係わらず、低速（静音）モードに設定することで、ＤＶＤメディアＤの回転速度を制限し、ディスクドライブ部２４の振動がテープドライブ部１１に伝わることを抑制することができる。その結果、テープドライブ部１１が記録／再生する信号が劣化し、ＶＴＲの記録／再生性能が悪くなることがない。
【００４６】
（対応記録速度（再生速度）判別）
以下では、磁気テープＴの記録または再生中にＨＤＤドライブ部２３とディスクドライブ部２４との間で高速ダビングを行う場合に、ＤＶＤメディアが高倍速対応ディスク（×２、×４、×８倍など）であるかを判別し、特定の倍速に対応したディスクを使用する場合は、ＨＤＤとＤＶＤの倍速スピードを下げてダビングを行う例について説明する。なお、本実施形態では、記録スピードを“８倍速以上とした場合”を例の処理の手順を図５のフローチャートを参照して説明する。
【００４７】
テープドライブ部１１による磁気テープＴの記録または再生中にユーザがリモコン等を用いてＨＤＤとＤＶＤとの間のダビング処理を指示すると、ユーザインタフェース部１０２がユーザからのダビング処理指令を受け付ける。ユーザインタフェース部１０２は、ダビング処理指令があった旨をシステム制御部１０１に通知する。
【００４８】
システム制御部１０１は、低速（静音）モードＯＮ／ＯＦＦ設定がＯＮであるか否かを判別する(ステップＳ４１)。低速(静音)モードＯＮ／ＯＦＦ設定がオンの場合（ステップＳ４１のＮｏ）、システム制御部１０１は、テープドライブ部１１において録画処理若しくは再生処理が行われているか否かを判別する（ステップＳ４２）。
【００４９】
テープドライブ部１１において録画処理、若しくは再生処理が行われていないと判別した場合（ステップＳ１２のＮｏ）、ＨＤＤ／ＤＶＤ制御部２７は、ＶＴＲ制御部１２に予約録画番組が有るか問い合わせる。ＶＴＲ予約録画時間検索部１２ａは、ＨＤＤ／ＤＶＤ制御部２７からの問い合わせに対し、予約録画設定記憶部１２ｂに保存されている内容を検索し、予約録画番組の有無をＨＤＤ／ＤＶＤ制御部２７に回答する。ＨＤＤ／ＤＶＤ制御部２７は、予約録画設定記憶部１２ｂからの回答結果に応じて予約録画番組があるか否かを判定する（ステップＳ４７）。
【００５０】
予約録画番組があると判定した場合（ステップＳ４７のＹｅｓ）、ＨＤＤ／ＤＶＤ制御部２７は、ＶＴＲ制御部１２に直近の予約録画番組の録画開始時刻を問い合わせる。ＶＴＲ予約録画時間検索部１２ａが、ＨＤＤ／ＤＶＤ制御部２７からの問い合わせに対し、直近の予約録画番組の録画開始時刻を検出し、ＨＤＤ／ＤＶＤ制御部２７に回答する（ステップＳ４８）。ダビング終了時刻予測部２７ｃは、ダビングする映像／音声データのデータ量と転送レートからダビングが終了する時間を予測する（ステップＳ４９）。
【００５１】
ＨＤＤ／ＤＶＤ制御部は、ステップＳ４９の処理によって検出された録画開始時間とステップＳ４９の処理によって予測されたダビング終了時間とを比較し、予約録画とダビングとが同時動作するか否かを判定する（ステップＳ５０）。
【００５２】
ステップＳ４２の処理によってテープドライブ部が録画処理、若しくは再生処理を行っていると判別した場合（ステップＳ４２のＹｅｓ）、或いはステップＳ５０の処理において予約録画とダビングとが同時動作すると判定した場合（ステップＳ５０のＹｅｓ）、最大対応倍速判別部２７ｂがディスクドライブ部２４に挿入されているＤＶＤメディアＤの記録／再生速度を検出する（ステップＳ４３）。
【００５３】
ＨＤＤ／ＤＶＤ制御部２７は、最大対応倍速判別部２７ｂの検出結果からＤＶＤメディアＤが８倍速以上の記録／再生速度に対応しているか否かを判別する（ステップＳ４４）。
【００５４】
ステップＳ４４の処理において８倍速以上の記録／再生速度に対応していないと判別した場合（ステップＳ４４のＮｏ）、ステップＳ４７の処理において予約録画番組がないと判定した場合（ステップＳ４７のＮｏ）、或いはステップＳ５０の処理において予約録画とダビングとが同時動作しないと判定した場合（ステップＳ５０のＮｏ）、ＨＤＤ／ＤＶＤ制御部２７は、画面上に“高速モード動作”をＯＳＤ表示すると共に（ステップＳ４５）、ＨＤＤ／ＤＶＤ高速ダビング処理を開始する（ステップＳ４６）。
【００５５】
ステップＳ４１の処理において低速(静音)モードＯＮ／ＯＦＦ設定がＯＮではないと判定した場合（ステップＳ４１のＮｏ）、或いはステップＳ４４の処理において８倍速以上の記録／再生速度に対応していると判定した場合（ステップＳ４４のＹｅｓ）、ＨＤＤ／ＤＶＤ制御部は低速（静音）モードを設定にする（ステップＳ５１）。
【００５６】
ＨＤＤ／ＤＶＤ制御部は、“低速モード動作”を画面上に表示させると共に（ステップＳ５２）、ＨＤＤ／ＤＶＤ低速ダビング処理を開始する（ステップＳ５３）。
【００５７】
以上の処理によって、ＨＤＤ／ＤＶＤ間のダビングを行う際に、ダビングとテープドライブ部１１による録画処理または再生処理とが同時に行われることがある場合に、ＤＶＤメディアの対応記録(再生)速度を判別し、判別した対応記録(再生)速度が８倍速以上の場合に、低速（静音）モードＯＮ／ＯＦＦ設定に係わらず、低速（静音）モードに設定することで、ＤＶＤメディアＤの回転速度を制限し、ディスクドライブ部２４の振動がテープドライブ部１１に伝わることを抑制することができる。その結果、テープドライブ部１１で記録／再生される信号が劣化し、ＶＴＲの記録／再生性能が悪くなることがない。
【００５８】
なお、上記実施形態では、ＤＶＤメディアＤの種類を判別し、種類に応じて低速（静音）モードを設定していたが、ＤＶＤメディアＤの種類によらず、低速（静音）モードを設定しても良い。
【００５９】
図４のフローチャートを用いて説明したステップＳ３３，３４の処理の代わりにステップＳ４４，４５の処理を行って、ＤＶＤメディアＤが８倍速以上に対応している場合にステップＳ５１の処理を行って低速（静音）モードに設定しても良い。
【００６０】
上述した例では、８倍速以上に対応したＤＶＤメディアの場合に低速（静音）モードＯＮ／ＯＦＦ設定に係わらず低速（静音）モードに設定するようにしたが、ディスクドライブ部２４の振動がテープドライブ部に伝わらないのであれば、もっと高い速度に設定しても良い。又逆に、ディスクドライブ部２４の振動がテープドライブ部に伝わるのであれば、もっと高い速度に設定しても良い。即ち、ディスクドライブ部２４の振動がテープドライブ部に伝わる程度に応じて、設定速度を選択すればよい。
【００６１】
又、上記実施形態では、光ディスクとしてＤＶＤの例をあげたが、ＨＤ  ＤＶＤ（High Definition Digital Versatile Disc）規格、またはＢｌｕ-ｒａｙ規格の光ディスクでも良い。
【００６２】
又、ディスクドライブ部での振動がテープドライブ部に伝わることが問題なので、ＤＶＤメディアに記録された映像／音声データの再生と、テープドライブ部の録画処理または再生処理とが同時に行われる場合に、低速（静音）モードに設定するようにしても良い。又、ＤＶＤメディアの種類にかかわらずに設定するようにしても良いし、ＤＶＤメディアの種類に応じて設定するようにしても良い。
【００６３】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６４】
【図１】本発明の一実施形態に係るＨＤＤ／ＤＶＤ／ＶＴＲ一体型録画再生システムの概略構成を示すブロック図。
【図２】初期設定を設定するための初期設定モード時に表示される設定画面の例を示す図。
【図３】本発明の一実施形態に係るＨＤＤ／ＤＶＤ間でダビング処理を行うときの処理の手順を示すフローチャート。
【図４】本発明の一実施形態に係るテープドライブ部で録画処理または再生処理を行うときの処理の手順を示すフローチャート。
【図５】本発明の一実施形態に係るＨＤＤ／ＤＶＤ間でダビング処理を行うときの処理の手順を示すフローチャート。
【符号の説明】
【００６５】
１００…ＶＴＲ一体型録画再生システム，１０１…システム制御部，１０２…ユーザインタフェース部，１１…テープドライブ部，１２…ＶＴＲ制御部，１２ａ…ＶＴＲ予約録画時間検索部，１２ｂ…予約録画設定記憶部，２０…デジタル録画再生部，２１…Ａ／Ｄ変換部，２２…デジタル処理部，２２ａ…データ処理部，２２ｂ…エンコーダ部，２２ｃ…デコーダ部，２３…ＨＤＤドライブ部，２４…ディスクドライブ部，２５…Ｄ／Ａ変換部，２６…セレクタ，２７…ＨＤＤ／ＤＶＤ制御部，２７ａ…ディスク種類判別部，２７ｂ…最大対応倍速判別部
【図１】
0004630775.tif 000002
【図２】
0004630775.tif 000003
【図３】
0004630775.tif 000004
【図４】
0004630775.tif 000005
【図５】
0004630775.tif 000006